(57)【特許請求の範囲】
【請求項１】
ソベント継手の再生方法であって、
ソベント継手の天板に挿入孔を形成するステップ、
前記挿入孔から挿入プレートを挿入して固定するステップ、
前記挿入孔と前記挿入プレートの隙間を埋めるステップ、を有するソベント継手の再生方法。
【請求項２】
前記挿入プレートは、プレート固定部と、プレート本体部と、を備え、
前記プレート本体部は、前記挿入孔から前記ソベント継手内部に挿入され、
前記プレート固定部は、前記ソベント継手の前記天板上に突出し、前記ソベント継手のオフセット配管に固定される請求項１記載のソベント継手の再生方法。
【請求項３】
ソベント継手内部を研磨材で研磨するステップ、
前記ソベント継手内部にコーティング材を塗布して乾燥させることによりコーティング層を形成するステップ、を備える請求項１記載のソベント継手の再生方法。
【請求項４】
前記挿入プレートの前記プレート本体部は、挿入前に予めコーティング層が形成されたものである請求項２記載のソベント継手の再生方法。
【請求項５】
ソベント継手内に挿入される挿入プレートであって、
プレート固定部と、プレート本体部と、を備え、
前記プレート固定部及び前記プレート本体部の少なくとも一方において、引掛部が形成された挿入プレート。
【発明の詳細な説明】
【技術分野】
【０００１】
本発明は、ソベント継手の再生方法及びこれに用いる挿入プレートに関する。
【背景技術】
【０００２】
マンション等の集合住宅等の排水設備は、その材質が金属を用いている場合、長期の使用によりその内部が腐食する等の問題が発生しやすい。そのため、定期的な点検と必要に応じた補修（再生）が必要となる。例えばこの技術としては、下記特許文献１に記載がある。
【先行技術文献】
【特許文献】
【０００３】
【特許文献１】特開２０１９−４４８５６号公報
【発明の概要】
【発明が解決しようとする課題】
【０００４】
一方で、マンション等の集合住宅等における排水設備においては、鉛直方向に延びる排水管と水平方向に延びる排水管を接合するが、この接合部分に、効率的に排水を行うための空間を備えたソベント継手が用いられることが多い。
【０００５】
このソベント継手は、空間において鉛直方向に延びる排水管により形成される排水の流れと水平方向に延びる排水管により形成される排水の流れを仕切るためのプレートを有する複雑な構造を備えており、この内部の再生は容易ではない。特に、このプレートが長期の使用によって破損している場合は、ソベント継手自体の再生も必要になるといった課題がある。
【０００６】
そこで、本発明は、上記課題に鑑み、ソベント継手に対しても効果的な再生方法及びこれに用いる挿入プレートを提供することを目的とする。
【課題を解決するための手段】
【０００７】
上記課題を解決する本発明の一観点に係るソベント継手の再生方法は、ソベント継手の天板に挿入孔を形成するステップ、挿入孔から挿入プレートを挿入して固定するステップ、挿入孔と挿入プレートの隙間を埋めるステップ、を有する。
【０００８】
また、本観点において、限定されるわけではないが、挿入プレートは、プレート固定部と、プレート本体部と、を備え、プレート本体部は、挿入孔からソベント継手内部に挿入され、プレート固定部は、ソベント継手の天板上に突出し、ソベント継手のオフセット配管に固定されることが好ましい。
【０００９】
また、本観点において、限定されるわけではないが、ソベント継手内部を研磨材で研磨するステップ、ソベント継手内部にコーティング材を塗布して乾燥させることによりコーティング層を形成するステップ、を備えることが好ましい。
【００１０】
また、本観点において、限定されるわけではないが、挿入プレートのプレート本体部は、挿入前に予めコーティング層が形成されたものであることが好ましい。
【００１１】
また、本発明の他の一観点に係る挿入プレートは、ソベント継手内部に挿入されるものであって、プレート固定部と、プレート本体部と、を備え、プレート固定部及びプレート本体部の少なくとも一方において、引掛部が形成されたものである。
【発明の効果】
【００１２】
以上、本発明によって、ソベント継手に対しても効果的な再生方法及びこれに用いる挿入プレートを提供することができる。
【図面の簡単な説明】
【００１３】
【図１】実施形態に係るソベント継手の斜視概略図である。
【図２】実施形態に係るソベント継手の断面概略図である。
【図３】実施形態に係る挿入プレートを挿入した場合のソベント継手の斜視概略図である。
【図４】実施形態に係る挿入プレートを挿入した場合のソベント継手の断面概略図である。
【図５】実施形態に係る挿入プレートの斜視概略図である。
【図６】実施形態に係る挿入プレートの断面概略図である。
【図７】実施形態に係るソベント継手の天板の概略図である。
【図８】実施形態に係る挿入プレートのプレート固定部が引掛部のみである場合の断面概略図である。
【図９】実施例におけるソベント継手に挿入孔を開孔した写真図である。
【図１０】実施例における挿入プレートの写真図である。
【図１１】実施例におけるソベント継手内部を研磨しコーティング材を付して再生した写真図である。
【発明を実施するための最良の形態】
【００１４】
以下、本発明の実施形態について図面を用いて詳細に説明する。ただし、本発明は多くの異なる形態による実施が可能であり、以下に示す実施形態で言及する具体的な例示に限定されるものではない。
【００１５】
図１は、本実施形態に係る再生方法の対象となるソベント継手（以下「本ソベント継手」という。）Ｓの斜視概略図であり、図２は本ソベント継手Ｓの断面概略図である。
【００１６】
また図３は、本ソベント継手Ｓに本実施形態に係る挿入プレート（以下「本挿入プレート」という。）１を挿入した場合の本ソベント継手Ｓの斜視概略図であり、図４は、この場合の本ソベント継手Ｓの断面概略図である。更に、図５は本挿入プレート１の斜視概略図であり、図６はその断面概略図である。
【００１７】
上記の図で示すように、本挿入プレート１は、本ソベント継手Ｓ内部に挿入されるものであって、プレート固定部２と、プレート本体部３と、を備え、プレート固定部２及びプレート本体部３の少なくとも一方において、引掛部２１が形成されたものである。
【００１８】
本挿入プレート１の機能については後述の記載から明らかとなるが、本ソベント継手Ｓ内部にあるプレートＰが破損している場合でもその再生を図ることができる。特に、研磨材を用いた研磨作業によって切削されるとしてもこの本挿入プレート１を用いることで本ソベント継手Ｓの機能を再生させることが可能となる。
【００１９】
以下、本挿入プレート１を用いた本ソベント継手Ｓの再生方法（以下「本方法」という。）について説明する。
【００２０】
本方法は、（Ｓ１）本ソベント継手Ｓの天板に挿入孔Ｈを形成するステップ、（Ｓ２）挿入孔Ｈから本挿入プレート１を挿入して固定するステップ、（Ｓ３）挿入孔Ｈと本挿入プレート１の隙間を埋めるステップ、を有する。
【００２１】
本方法における（Ｓ１）本ソベント継手Ｓの天板に挿入孔Ｈを形成するステップは、文字通り本ソベント継手Ｓの天板Ｃに本挿入プレート１を挿入することができる程度の孔をあけるステップである。
【００２２】
この挿入孔Ｈの大きさや形状については、本挿入プレート１の形状に合わせて適宜調整可能である。本挿入プレート１のプレート本体部３は板状であるため、これが挿入可能となるよう横長の孔、長方形であることが好ましい。なお、この挿入孔Ｈを設けることで本ソベント継手Ｓ内部を直接目視することができるといった利点もある。このステップにより形成される本ソベント継手Ｓの天板Ｃのイメージについて図７に示しておく。
【００２３】
また、本方法では、（Ｓ２）挿入孔Ｈから本挿入プレート１を挿入して固定するステップを備える。より具体的に本ステップでは、本挿入プレート１のプレート本体部３を挿入孔Ｈから挿入する。これにより上記図で示すように、本ソベント継手Ｓ内部に挿入プレート１を設置することが可能となる。なお、この場合において、本挿入プレート１の形状は、もともと本ソベント継手Ｓに設けられたプレートＰと同形状、相似形又はこれに近い形であることが好ましい。このようにすることで、予め備えてあるプレートＰと本挿入プレート１のプレート本体部３の間を少なくし、本ソベント継手Ｓ内部の空間に無駄を少なくすることができる。
【００２４】
本実施形態では、プレート本体部３は、板状の部材であって、折れ曲がった２枚の板が接続されたような形状となっていることが好ましい。これはもともとのプレートＰの形状が折れ曲っているためである。
【００２５】
また、本実施形態では、本挿入プレート１のプレート本体部３は、挿入前に予めコーティング層が形成されたものであることが好ましい。予めコーティング層が形成されたものとすることで、本ソベント継手Ｓ内部に対するコーティング処理の段階にかかわらず破損を防止するために挿入が可能となるといった利点がある。
【００２６】
また、上記の記載から明らかなように、本挿入プレート１のプレート本体部３は、挿入孔Ｈから本ソベント継手Ｓの内部に挿入されるものであり、プレート固定部２は、本ソベント継手Ｓの天板Ｃ上に突出して残り、本ソベント継手Ｓの鉛直方向に対して接続されるオフセット配管Ｏに固定されることが好ましい。
【００２７】
このオフセット配管Ｏへの接続については、限定されるわけではないが、金属環２２と、この金属環２２に接続される接続具２３であることが好ましく、この金属環２２をオフセット配管Ｏに設置し、接続具２３によりプレート固定部２の本体２４に固定することが好ましい。なお本実施形態では接続具２３としてボルトの例を示している。ボルトを用いることで簡単に金属環２２と本体２４とを固定することが可能となる。
【００２８】
ところで、上記の通り、プレート固定部２及びプレート本体部３の少なくとも一方において、引掛部２１が形成されている。プレート固定部２及びプレート本体部３は互いに接続された状態となっているため、引掛部が無い場合、プレート固定部２も挿入孔Ｈから本ソベント継手Ｓの内部に入ってしまう可能性がある。そこで、引掛部２１を設けることで、プレート本体部３を挿入させる一方、プレート固定部２を天板に残したままとすることができる。プレート固定部２及びプレート本体部３は接続されているため、引掛部はプレート固定部２及びプレート本体部３のいずれか一方で接続してもよいが、双方に設けてもよい。また、プレート固定部２及びプレート本体部３を一体に設け、これに引掛部を一体に接続させてもよい。
【００２９】
なお、本実施形態では、プレート本体部３とプレート固定部２を設け、引掛部を設ける構成としているが、プレート固定部２を限りなく少なくし、引掛部のみがプレート固定部２である場合も可能である。この場合のイメージ図を図８に示しておく。
【００３０】
また、本方法における（Ｓ３）挿入孔Ｈと本挿入プレート１の隙間を埋めるステップは、工事完了後この隙間から排水が漏れ出ないようにするとともに、内部に配管内における破損の原因となる物体が入ってこないようにするために必要な処理のステップである。この隙間を埋めるステップのより具体的な内容としては、例えばコーキング材、シーリング材等で充填することが例示できる。コーキング材、シーリング材などは市販のものを使用することができ限定されるものではない。
【００３１】
ところで、本方法では、本挿入プレート１を本ソベント継手Ｓ内部に挿入する前に、本ソベント継手Ｓ内部を研磨し、コーティング材でコーティングするステップを備えておくことが好ましい。このようにすることで、本ソベント継手Ｓ内部を確実に再生させた後で、プレートについても再生が可能となる。
【００３２】
より具体的に説明すると、本方法では、（ＳＡ）本ソベント継手Ｓ内部を研磨材で研磨するステップ、（ＳＢ）本ソベント継手Ｓ内部にコーティング材を塗布して乾燥させることによりコーティング層を形成するステップ、を備えることが好ましい。
【００３３】
本方法において、（ＳＡ）本ソベント継手Ｓ内部を研磨材で研磨するステップは、本ソベント継手Ｓ内部に長期間の使用によって発生した錆等を研磨することで除去するステップである。この研磨については、例えば非特許文献１に記載の研磨材などによる研磨が該当するがこれに限定されるものではない。
【００３４】
また、本方法において（ＳＢ）本ソベント継手Ｓ内部にコーティング材を塗布して乾燥させることによりコーティング層を形成するステップは、コーティング層を設けることでこれ以上の配管の破損を防止するために行うステップであり配管及び本ソベント継手Ｓの再生において非常に重要である。なお、このステップも、非特許文献１に記載の方法で対応可能であり特に限定されるわけではない。
【００３５】
また、本方法における（ＳＡ）及び（ＳＢ）のステップは、（Ｓ１）のステップ前に行ってもよく、また、（Ｓ３）の後に行ってもよく、順番は限定されない。ただし、予め挿入孔Ｈを設けて本ソベント継手Ｓ内部を確認してから作業を行うという観点からは、（Ｓ１）のステップを行い、（Ｓ２）のステップが可能であることを確認したのち、本挿入プレート１を抜いて、一度挿入孔Ｈを仮塞ぎしてから（ＳＡ）ステップ及び（ＳＢ）ステップを行い、（Ｓ２）のステップ、（Ｓ３）のステップを行うこととするのが好ましい。いずれにおいても適宜調整が可能である。
【００３６】
以上、本実施形態により、ソベント継手に対しても効果的な再生方法及びこれに用いる挿入プレートを提供することができる。特に、本方法によると、既存のプレートが存在してもその破損を気にせず研磨及びコーティング処理が可能となり、破損部も研磨とコーティングが可能となるため、腐食の進行を防ぐことが可能となる。また、挿入するプレートについても簡便な構成とするものであるため、容易かつ安価であり、しかも脱着容易であるといった効果がある。
【実施例】
【００３７】
ここで、実際に本方法の効果を確認するために実際の再生方法を実施した。この結果について以下のように示す。
【００３８】
まず、長期間使用したソベント継手に１００ｍｍ×１０ｍｍ程度の挿入孔を鉄製キリ及びレシプロソーを用いて開孔した。この開孔の写真図を図９に示す。
【００３９】
また一方で、この天板から挿入するための挿入プレートを作成した。この図を図１０に示しておく。なおこの図では、プレート固定部は折れ曲がった部分の引掛部分だけとした。なおこの後、挿入プレートの周囲にはコーティング剤を塗布した。
【００４０】
その後、ソベント継手内部を研磨し、コーティング材を付して再生した。この場合の写真を図１１に示す。
【００４１】
そして、ソベント継手内部を再生した後、挿入プレートを挿入孔から挿入し、ソベント継手に対して固定することで完了させた。
【００４２】
この結果、確実かつ安定的にソベント継手を再生することができることが確認できた。
【産業上の利用可能性】
【００４３】
本発明は、ソベント継手の再生方法及びこれを用いる挿入プレートとして産業上の利用可能性がある。
【要約】
【課題】本発明は、ソベント継手に対しても効果的な再生方法及びこれに用いる挿入プレートを提供することを目的とする。
【解決手段】  
本発明の一観点に係るソベント継手の再生方法は、ソベント継手の天板に挿入孔を形成するステップ、挿入孔から挿入プレートを挿入して固定するステップ、挿入孔と挿入プレートの隙間を埋めるステップ、を有する。また、挿入プレートは、ソベント継手内に挿入されるものであって、プレート固定部と、プレート本体部と、を備え、プレート固定部及びプレート本体部の少なくとも一方において、引掛部が形成されたものである。
【選択図】  図１【図１】
0006969767.tif 000002
【図２】
0006969767.tif 000003
【図３】
0006969767.tif 000004
【図４】
0006969767.tif 000005
【図５】
0006969767.tif 000006
【図６】
0006969767.tif 000007
【図７】
0006969767.tif 000008
【図８】
0006969767.tif 000009
【図９】
0006969767.tif 000010
【図１０】
0006969767.tif 000011
【図１１】
0006969767.tif 000012